(57)【特許請求の範囲】
【請求項１】
生体組織に対して処置を行うためのそれぞれが異なる処置手段をそれぞれの本体部に備える複数種類の内視鏡用モジュールと、前記複数種類の内視鏡モジュールがそれぞれ内視鏡挿入部に取り付けられる内視鏡とを具備する内視鏡システムにおいて、
前記内視鏡は、
前記内視鏡挿入部の先端部に設けられ、前記内視鏡用モジュールが着脱自在な着脱手段となる先端突出部と、
前記内視鏡挿入部に連設する操作部に設けられ、前記内視鏡挿入部に取り付けられた前記内視鏡用モジュールの処置手段を遠隔操作する操作ハンドルと、
前記操作ハンドルに一端部が固定される、他端部に着脱手段及び操作力伝達手段を兼ねる、ネジ部を有する第１の連結部材を備える、伝達ワイヤと、
前記内視鏡挿入部に設けられ、前記伝達ワイヤが挿通される送気・送液用チャンネルを兼ねるワイヤ用チャンネルとを具備し、
前記内視鏡用モジュールは前記本体部に、
前記内視鏡挿入部の先端突出部が嵌入配置される着脱手段となる配置用孔と、
前記ワイヤ用チャンネルの先端側の開口に対向して連通配置される開口を備える孔部と、
前記孔部を介して前記内視鏡側に延出され、端部に、前記伝達ワイヤに備えられた前記第１連結部材に着脱自在な着脱手段及び操作力伝達手段を兼ねる、前記第１の連結部材のネジ部が螺合するネジ部を備える第２連結部材を有する前記処置手段を操作するための操作ワイヤと、
を具備することを特徴とする内視鏡システム。
【請求項２】
前記ワイヤ用チャンネルは該ワイヤ用チャンネルの中途部において、前記操作部の側部に開口を有する送気・送液用チャンネルに連通することを特徴とする請求項１に記載の内視鏡システム。
【請求項３】
前記本体部に着脱手段としてさらに、係止爪部を先端部に有する着脱用突起部を設ける一方、前記内視鏡の先端部に着脱手段としてさらに、前記係止爪部が配置される係止用孔部を有する前記着脱用突起部が係入される固定着脱用孔を設けたことを特徴とする請求項１に記載の内視鏡システム。
【請求項４】
前記着脱手段としてさらに固定ネジを備える構成において、
前記本体部は、該本体部の外周面に前記配置用孔に連通して前記固定ネジが螺合するネジ用孔を設けたことを特徴とする請求項１に記載の内視鏡システム。
【請求項５】
前記孔部に、前記ワイヤ用チャンネルとの着脱手段及び送液通路形成手段を兼ねる接続部材を設けたことを特徴とする請求項１に記載の内視鏡システム。
【発明の詳細な説明】
【０００１】
【発明の属する技術分野】
本発明は、内視鏡検査や内視鏡下手術において使用する内視鏡と、処置用の器材とを備えた内視鏡システムに関する。
【０００２】
【従来の技術】
従来より、細長の挿入部を体腔内に挿入することにより、体腔内臓器などを観察したり、必要に応じて処置用チャンネル内に挿通した処置用の器材（処置具とも記載する）を用いて各種治療処置のできる医療用の内視鏡が広く利用されている。
【０００３】
前記処置用の器材は、内視鏡の処置具用チャンネルの直径寸法が細径（３ｍｍ程度）で長尺（２ｍ程度）な管腔内に挿通可能なように細長な構造になっている。このため、この細長な処置用の器材を内視鏡の処置用チャンネルに挿入する際、折れたり、破損したりするおそれがあるので、医療者は処置用の器材を処置用チャンネルに挿入するために細心の注意を払わなければならなかった。
【０００４】
例えば、特開昭６４−８０３３５号公報には前記処置具の挿入時の破損を防止するため、処置用の器材に適度な弾力性を有する部材を用いたり、先端形状を滑らかにすることで挿入性を向上させるようにした内視鏡が示されている。
【０００５】
また、経内視鏡的に処置を行う場合、内視鏡と処置具とが独立しているため、医療者は両手を用いて、複雑な内視鏡の操作と処置具の操作とを行ったり、介添え者を含む数人で内視鏡と処置具との操作を行わなければならないので、熟練した操作技術を必要にしていた。このため、内視鏡と処置用の器材との操作を容易化するため、内視鏡操作部に処置用の器材の操作部を連結固定するようにしたものがある。
【０００６】
【発明が解決しようとする課題】
しかしながら、前記特開昭６４−８０３３５号公報に示されているように材料的な改善や形状を曲面にすることでは根本的な解決にならず、特に特殊な材料を使用する場合には材料の入手が困難なことや製造方法が複雑になって大量生産するには不向きで、処置具が高価になるなどといった問題があった。
【０００７】
また、内視鏡と処置具との操作を容易化するために、内視鏡と処置具とを連結固定するものでは内視鏡の操作部と処置具の操作部とが干渉するため操作性が悪化するという問題があった。
【０００８】
さらに、処置後に、細長な処置用の器材の洗滌、消毒などの後処理を行う際、洗滌し難く、後処理に時間がかかるという問題があると共に、後処理後に処置具を保管、管理をする際、処置具が細長であるため保管スペースが大きくなるという問題があった。
【０００９】
本発明は上記事情に鑑みてなされたものであり、チャンネルに挿入する際に発生していた処置具の破損を防止し、内視鏡下での操作が容易で、より小さなスペースで保管が可能な内視鏡システムを提供することを目的にしている。
【００１０】
【課題を解決するための手段】
本発明の内視鏡システムは、生体組織に対して処置を行うためのそれぞれが異なる処置手段をそれぞれの本体部に備える複数種類の内視鏡用モジュールと、前記複数種類の内視鏡モジュールがそれぞれ内視鏡挿入部に取り付けられる内視鏡とを具備する内視鏡システムであって、
前記内視鏡は、前記内視鏡挿入部の先端部に設けられ、前記内視鏡用モジュールが着脱自在な着脱手段となる先端突出部と、前記内視鏡挿入部に連設する操作部に設けられ、前記内視鏡挿入部に取り付けられた前記内視鏡用モジュールの処置手段を遠隔操作する操作ハンドルと、前記操作ハンドルに一端部が固定される、他端部に着脱手段及び操作力伝達手段を兼ねる、ネジ部を有する第１の連結部材を備える、伝達ワイヤと、前記内視鏡挿入部に設けられ、前記伝達ワイヤが挿通される送気・送液用チャンネルを兼ねるワイヤ用チャンネルとを具備し、
前記内視鏡用モジュールは前記本体部に、前記内視鏡挿入部の先端突出部が嵌入配置される着脱手段となる配置用孔と、前記ワイヤ用チャンネルの先端側の開口に対向して連通配置される開口を備える孔部と、前記孔部を介して前記内視鏡側に延出され、端部に、前記伝達ワイヤに備えられた前記第１連結部材に着脱自在な着脱手段及び操作力伝達手段を兼ねる、前記第１の連結部材のネジ部が螺合するネジ部を備える第２連結部材を有する前記処置手段を操作するための操作ワイヤとを具備する。
【００１１】
この構成によれば、処置手段を有する内視鏡用モジュールを内視鏡挿入部の先端部に取り付けることによって内視鏡的処置が行え、内視鏡用モジュールを内視鏡挿入部から取り外した状態で保管が可能である。
【００１２】
【発明の実施の形態】
以下、図面を参照して本発明の実施の形態を説明する。
図１ないし図８は本発明の第１実施例に係り、図１は内視鏡システムを構成する内視鏡の先端部及びこの内視鏡に取り付けられる内視鏡用モジュールの１例である結紮用モジュールの構成を説明する断面図、図２は内視鏡の操作部の構成を示す説明図、図３は他の内視鏡用モジュールの例である把持用モジュールと内視鏡の先端部の構成を示す説明図、図４は内視鏡の先端部に結紮用モジュールを取り付けた状態を示す説明図、図５は結紮用モジュールを取り付けた内視鏡の作用を説明する図、図６は引き続き患部に弾性リングを装着するときの使用状態を説明する図、図７は内視鏡の先端部に把持用モジュールを取り付けた状態を示す説明図、図８は把持用モジュールを取り付けた内視鏡の作用を示す説明図である。
【００１３】
図１に示すように本実施形態の内視鏡システム１は、内視鏡２と、この内視鏡２の先端部２１に着脱自在な内視鏡用モジュールの１つである結紮用モジュール３とで構成されている。
【００１４】
前記内視鏡１の先端部２１は、結紮用モジュール３を着脱可能にするための着脱手段を兼ねる先端突出部２２及び係止用孔部２３ａを有する固定着脱用孔２３と、操作力を伝達する伝達ワイヤ４が進退自在に挿通されるワイヤ用チャンネル２４とを有して構成されている。前記伝達ワイヤ４の先端部には筒状で、着脱手段及び操作力伝達手段となる第１連結部材４１が固設されるようになっており、この第１連結部材４１の内周面には雌ネジ４２が形成されている。
【００１５】
前記結紮用モジュール３は、硬質で透明な樹脂部材で略凸字形状に形成されており、細径で前記内視鏡２の先端部２１に対峙して着脱部となる連結部３１及び前記連結部３１よりやや太径なキャップ部３２を備える本体部３０と、前記キャップ部３２の外周面に配置される結紮用の弾性リング３４及びリング操作ワイヤ３５を備える処置手段となる結紮具３３とで構成されている。前記リング操作ワイヤ３５の基端部には略円柱状で着脱手段と操作力伝達手段となる第２連結部材３７が固設されるようになっており、この第２連結部材３７の先端部には前記第１連結部材４１の雌ネジ４２に噛合する雄ネジ３８が形成されている。
【００１６】
前記結紮用モジュール３の本体部３０のキャップ部３２には先端側に開口部３２ａ有して患部を配置することが可能な処置用空洞部３２ｂが形成されている。また、前記連結部３１には前記先端部２１の先端突出部２２が嵌入配置される突出部配置用孔３１ａ及び前記固定着脱用孔２３に係入される着脱手段となる係止爪部３６ａを先端部に設けた着脱用突起部３６と、前記リング操作ワイヤ３５が進退自在に挿通されるワイヤ挿通孔３１ｂが形成されている。このワイヤ挿通孔３１ｂは、前記処置用空洞部３２ｂに連通しており、前記突出部配置用孔３１ａは前記処置用空洞部３２ｂに連絡孔３２ｃを介して連通している。
【００１７】
前記リング操作ワイヤ３５は、複数のワイヤ線３５ａ，３５ｂを撚り合わせて形成したものであり、前記ワイヤ挿通孔３１ｂ内を通過したリング操作ワイヤ３５が処置用空洞部３２ｂ内でワイヤ線３５ａ，３５ｂに分かれている。この処置用空洞部３２ｂ内で分かれたワイヤ線３５ａ，３５ｂの先端部は前記キャップ部３２の外周面に配置されるように延出している。
【００１８】
前記ワイヤ線３５ａ，３５ｂの先端部にはそれぞれ複数の誘導部３５ｃが等間隔に設けられており、これら誘導部３５ｃを備えた先端部をキャップ部３２の外周面上に配置した状態で、前記誘導部３５ｃに対して前記弾性リング３４を所定の位置に配置している。
【００１９】
図２に示すように前記先端部２１に形成したワイヤ用チャンネル２４は、前記内視鏡１の操作部５まで形成されており、このワイヤ用チャンネル２４内を挿通する伝達ワイヤ４の基端部が操作部５内に設けられている内視鏡用モジュールの処置手段を操作する操作力を発生させるための回転操作ハンドル５１の回動自在な軸部５１ａに固定されている。このことによって、前記回転操作ハンドル５１を回動操作することによって、前記伝達ワイヤ４が進退動作する。
【００２０】
前記ワイヤ用チャンネル２４は、このチャンネル２４の中途部で操作部５の側部に開口を有する送気・送液用チャンネル５３に連通している。前記開口部端５２にはパッキン５４を内部に設けた口金５５が配設されており、この口金５５、前記送気・送液用チャンネル５３及びワイヤ用チャンネル２４によって液体や気体を導く送気・送液用チャンネルを形成している。
【００２１】
なお、前記内視鏡１は、図示しない光学レンズ、この光学レンズを通過して入力された光学像を内視鏡手元側で観察可能にする光伝達手段、先端部を所望の方向に湾曲させるための湾曲部を備え、前記操作部５には湾曲部を湾曲操作する操作ノブ（不図示）が前記回転操作ハンドル５１の近傍に設けられている。
【００２２】
また、前記内視鏡用モジュールの他の形態としては結紮用モジュール３に限定されるものではなく、例えば図３に示すような把持用モジュール６がある。この把持用モジュール６は、硬質な樹脂部材で略パイプ形状に形成された前記結紮用モジュール３の本体部３０の連結部３１と略同形状のモジュール本体６１と例えば３つの把持部６３ａ，６３ｂ，６３ｃを備える処置手段である把持具６２とで構成されている。
【００２３】
前記モジュール本体６１には、前記内視鏡の先端部２１に対峙する着脱部となる前記先端部２１の先端突出部２２が嵌入配置される突出部配置用孔３１ａ及び前記固定着脱用孔２３に係入される係止爪部３６ａを先端に設けた着脱用突起部３６と、前記把持部６３ａ，６３ｂ，６３ｃを凸没させる把持部操作ワイヤ６３が進退自在に挿通されるワイヤ挿通孔３１ｂが形成されている。このワイヤ挿通孔３１ｂは貫通孔であり、前記突出部配置用孔３１ａは連通孔６４によって外部に連通している。前記把持部操作ワイヤ６３の基端部には前記リング操作ワイヤ３５の基端部に設けられているものと同様の着脱手段である略円柱状の第２連結部材３７が固設されている。なお、内視鏡の構成及びその他の構成は、前記図１で示した内視鏡システムと同様であり、同部材には同符号を付して説明を省略する。
【００２４】
上述のように構成した内視鏡システム１の作用を説明する。
まず、内視鏡１を体腔内に挿入する前に、保管箱に保管されている内視鏡モジュールの中から内視鏡１の先端部２１に装着する結紮用モジュール３を取り出す。そして、内視鏡１の伝達ワイヤ４の先端部に固設されている第１連結部材４１の雌ネジ４２と結紮用モジュール３の操作ワイヤ３５の基端部に固設されている第２連結部材３７の雄ネジ３８とを螺合固定し、続いて、本体部３０の着脱用突起部３６を固定着脱用孔２３に配置すると共に、先端突出部２２と突出部配置用孔３１ａとの位置合わせを行って、結紮用モジュール３と内視鏡２とが近づく方向に移動していく。すると、前記先端突出部２２が突出部配置用孔３１ａに嵌入して所定位置に配置されると共に、係止爪部３６ａが係止用孔部２３ａに係入して、図４に示すように結紮用モジュール３を内視鏡２の先端部２２に一体的に固定する。
【００２５】
次に、結紮用モジュール３を先端部２１に一体的に固定した内視鏡１を体腔内の検査部位近傍まで挿入して、結紮用モジュール３のキャップ部３２の先端側に設けられている開口部３２ａを体腔内の患部１０に対峙するまで移動させる。
【００２６】
次いで、内視鏡１の操作部５の開口部端５２に設けられている口金５５を介して図示しない吸引装置によって吸引をかける。すると、この口金５５、前記送気・送液用チャンネル５３及びワイヤ用チャンネル２４によって形成されている送気・送液用チャンネルを介して体腔内の空気が吸引されることによって、キャップ部３２の処置用空洞部３２ｂ内に患部１０が吸い込まれる。
【００２７】
ここで、内視鏡１の操作部５に設けた回転操作ハンドル５１を操作して、伝達ワイヤ４を巻き取っていく。このことによって、前記伝達ワイヤ４が進退すると共に、この伝達ワイヤ４に連結されているリング操作ワイヤ３５が手元側に移動することで、先端部に設けられている誘導部３５ｃが移動して、キャップ部３２の外周面に配置された弾性リング３４が前記誘導部３５ｃに押されて徐々に移動していく。そして、図５に示すように前記弾性リング３４が本体部３０の前方から脱落して収縮することによって、処置用空洞部３２ｂ内に吸引された患部１０の根元部を、自らの弾性力によって結紮する。
【００２８】
続いて、図６に示すように内視鏡１を体外に抜去することなく矢印に示すように移動させて上記操作を繰り返し行うことによって、複数の箇所に弾性リング３４を結紮することが可能である。
【００２９】
また、引き続いて結紮以外の処置を行う場合には内視鏡２を体腔内から抜去する。そして、前記固定着脱用孔２３の係止用孔部２３ａに係入している係止爪部３６ａを押し込みながら結紮用モジュール３と内視鏡１の先端部２１とを引き離す方向に移動させていくことによって結紮用モジュール３を内視鏡１の先端部２１から分離する。
【００３０】
次いで、前記図３に示した把持用モジュール６のような他の内視鏡用モジュールを、前記結紮用モジュール３を内視鏡２先端部２１に取り付けたときと同様に、伝達ワイヤ４の先端の雌ネジ４２と把持用モジュール６の把持部操作ワイヤ６３の基端部に固設されている第２連結部材３７の雄ネジ３８とを螺合固定し、続いて、モジュール本体６１の着脱用突起部３６を固定着脱用孔２３に配置すると共に、先端突出部２２と突出部配置用孔３１ａとの位置合わせを行って、把持用モジュール６と内視鏡２とが近づく方向に移動していく。すると、前記先端突出部２２が突出部配置用孔３１ａに嵌入して所定位置に配置されると共に、係止爪部３６ａが係止用孔部２３ａに係入して、図７に示すように把持用モジュール６を内視鏡２の先端部２１に一体的に固定する。
【００３１】
続いて、内視鏡１の操作部５の回転操作ハンドル５１を操作して把持用モジュール６の把持部６３ａ，６３ｂ，６３ｃをワイヤ挿通孔３１ｂ及びワイヤ用チャンネル内に収納した状態にして体腔内に挿入し目的部位まで移動させる。
【００３２】
そして、回転操作ハンドル５１を操作して伝達ワイヤ４を進退させることで、この伝達ワイヤ４に連結されている把持部操作ワイヤ６３が進退操作されることによって把持部６３ａ，６３ｂ，６３ｃが凸没して、図８に示すように患部１０ａを把持部６３ａ，６３ｂ，６３ｃで把持することができる。そして、患部１０ａを把持した後、体腔内から内視鏡２を抜去して処置を終了する。
【００３３】
このように、細長な処置具を内視鏡の処置用チャンネルに挿入する代わりに、処置手段を有する小型の内視鏡用モジュールを内視鏡の先端部に着脱自在な構成にすると共に、内視鏡内を挿通する伝達ワイヤと各モジュールに設けられている処置手段を操作する操作手段とを接続固定する連結手段を設けたことによって、処置具をチャンネルに挿入する際に発生していた処置具の破損をなくすことができると共に、内視鏡用モジュールの保管スペースを小さくすることができる。このことによって、処置具の管理が大幅に改善される。
【００３４】
また、内視鏡の操作部に設けられている操作ノブ等の近傍に、予め内視鏡モジュールの処置手段を操作する操作ハンドルを設けているので、内視鏡の操作及び内視鏡用モジュールに設けられている処置手段の操作を容易に行うことができる。
【００３５】
図９ないし図１１は本発明の第２実施形態に係り、図９は内視鏡用モジュールの別の構成である生検用モジュールと内視鏡の先端の構成を示す説明図、図１０は内視鏡の先端部に生検用モジュールを取り付けた状態を示す説明図、図１１は生検用ジュールを取り付けた内視鏡の作用を示す説明図である。
【００３６】
図９に示すように内視鏡用モジュールの別の構成である生検用モジュール７は、硬質な樹脂部材で略パイプ形状に形成されたモジュール本体７１と例えば一対の生検鉗子７２，７２を備える処置手段である生検鉗子具７３とで構成されている。
【００３７】
前記モジュール本体７１には、前記内視鏡２の着脱部となる前記先端突出部２２を含む先端部２１が嵌入配置される先端部配置用孔７４と、前記生検鉗子７２，７２を開閉操作する鉗子操作用ワイヤ７５が進退自在に挿通されるワイヤ挿通孔７６が形成されている。前記モジュール本体７１の外周面には前記先端部配置用孔７４に連通するネジ用孔７１ａが設けられており、このネジ用孔７１ａに着脱手段になる固定ネジ７７が配置されるようになっている。
【００３８】
前記ワイヤ挿通孔７６は前記先端部配置用孔７４に連通しており、この先端部配置用孔７４は連絡孔７８によって外部に連通している。また、前記鉗子操作用ワイヤ７５の基端部には前記リング操作ワイヤ３５及び把持部操作ワイヤ６３の基端部に設けたものと同様の着脱手段である略円柱状の第２連結部材３７が固設されている。なお、その他の構成及び内視鏡に固定着脱用孔を形成していないこと以外は前記第１実施形態と同様であり、同部材には同符号を付して説明を省略する。
【００３９】
図１０に示すように内視鏡１の伝達ワイヤ４の先端部に固設されている第１連結部材４１の雌ネジ４２と生検用モジュール７の鉗子操作用ワイヤ７５の基端部に固設されている第２連結部材３７の雄ネジ３８とを螺合固定し、続いて、モジュール本体７１の先端部配置用孔７４に内視鏡２の先端部２１を挿入した後、固定ネジ７７でこの生検用モジュール７を内視鏡２の先端部２１に一体的に固定する。そして、前記第１実施形態と同様に、生検用モジュール７の生検鉗子７２を閉じた状態にして内視鏡２を体腔内に導入する。
【００４０】
図１１に示すように内視鏡１の操作部５に設けられている回転操作ハンドル５１を操作して伝達ワイヤ４を進退させることで、この伝達ワイヤ４に連結されている鉗子操作用ワイヤ７５が進退操作されて生検鉗子７２が開閉動作して患部１０ｂの生検が行われる。
【００４１】
このように、本実施形態においては内視鏡用モジュールと内視鏡との固定をネジによって行っているので、着脱が容易でかつ、前記第１実施形態で実施した場合よりも強力に内視鏡と内視鏡用モジュールとを接続固定することができる。なお、その他の作用及び効果は前記第１実施形態と同様である。
【００４２】
図１２ないし図１４は本発明の第３実施形態に係り、図１２は内視鏡用モジュールのまた他の構成である拡張用モジュールと内視鏡の先端の構成を示す説明図、図１３は内視鏡の先端部に拡張用モジュールを取り付けた状態を示す説明図、図１４は拡張用ジュールを取り付けた内視鏡の作用を示す説明図である。
【００４３】
図１２に示すように内視鏡用モジュールのまた他の構成である拡張用モジュール８は、硬質な樹脂部材で略パイプ形状に形成されたモジュール本体８１と、このモジュール本体８１の外周面に被覆配置される弾力性を有する部材で形成されたバルーン８２とで構成されている。なお、前記モジュール本体８１の基端部には雄ネジを形成した凸部８１ａが設けられており、この雄ネジに略パイプ形状の接合部材８３の先端部に形成した雌ネジが噛合するようになっている。前記接合部材８３を凸部８１ａに螺合して、この接合部材８３を締め込む方向に回転させていくことによって、凸部８１ａの内径寸法が徐々に小径になるようにモジュール本体８１が構成されている。また、前記バルーン８２は糸巻き接着部８２ａによってモジュール本体８１に固定されている。
【００４４】
また、前記モジュール本体８１には、前記内視鏡２の着脱部となる前記先端突出部２２を含む先端部２１が嵌入配置される先端部配置用孔８４と、前記バルーン８２を拡張させるための気体や液体などが送られる送気・送液通路８５と、先端部に開口を有する先端側空洞部８６とが形成されている。
【００４５】
前記送気・送液通路８５の一端部は、モジュール本体８１のバルーン８２が配置されている外周面に開口を有し、他端部は前記先端部配置用孔８４に連通している。また、この先端部配置用孔８４は連絡孔８４ａによって先端側空洞部８６に連通している。さらに、前記送気・送液通路８５の他端部には着脱手段と送気・送液通路形成手段とを兼用する中空で弾力性を有する部材で形成された略ニップル形状の接続部材８７が配設されている。この接続部材８７は、内視鏡２に設けられているワイヤ用チャンネル２４内に挿抜自在になっている。
【００４６】
なお、前記接続部材８７は、シリコーンや天然ゴム、イソプレンゴム、ネオプレンゴムなどの密着性がよく、液洩れや空気洩れの生じない部材で形成されている。その他の構成及び内視鏡に固定着脱用孔を形成していないこと以外は上述した実施形態と同様であり、同部材には同符号を付して説明を省略する。
【００４７】
内視鏡１の操作部５に設けられている回転操作ハンドル５１を回転操作して伝達ワイヤ４の先端部に固設されている第１連結部材４１をワイヤ用チャンネル２４内に配置する。この状態で、接合部材８３の貫通孔を介してモジュール本体８１の先端部配置用孔８４に内視鏡２の先端部２１を挿入すると共に、前記ワイヤ用チャンネル２４内に接続部材８７を押し込んでいく。このことによって、拡張用モジュール８と内視鏡２とが仮固定される。
【００４８】
次いで、前記接合部材８３を閉め込む方向に回転させて凸部８１ａの内径寸法を徐々に小径にして凸部８１ａの内周面を内視鏡２の先端部２１の外周面に締め付けていくことによって、図１３に示すように拡張用モジュール８と内視鏡２とを一体的に固定する。
【００４９】
拡張用モジュール８を先端部２１に取り付けた内視鏡２を体腔内に挿通し、手元側操作部の口金５５に例えば図示しないシリンジを連結してシリンジ内の液体を送気・送液用チャンネル５３内に注入していく。すると、シリンジから注入された液体が、内視鏡１のワイヤ用チャンネル２４、接続部材８７、送気・送液通路８５を通じてバルーン８２内に注入されて、図１４に示すようにバルーン８２が拡張する。この拡張したバルーン８２によって、患部１０ｃを拡張及び圧迫して、体腔内の狭窄した患部の解除及び患部の圧迫止血を行う。
【００５０】
このように、拡張用モジュールと内視鏡とをワイヤ用チャンネルに押し込まれる接続部材及び接合部材を閉め込むことによって内径寸法が小径にして凸部の内周面を内視鏡先端部の外周面に締め付けてモジュール本体と内視鏡とを一体的に固定することによって、前記実施形態１に比べて簡単で、かつ強固に内視鏡用モジュールを内視鏡に装着固定することができる。
【００５１】
図１５ないし図１９は本発明の第４実施形態に係り、図１５は内視鏡用モジュールのまた別の構成である切開用モジュールと内視鏡の先端の構成を示す説明図、図１６は内視鏡の操作部を示す説明図、図１７は内視鏡の先端部に切開用モジュールを取り付けた状態を示す説明図、図１８は体腔内の患部に切開部を配置している状態を示す説明図、図１９は切開部で患部を切開する様子を示す説明図である。
【００５２】
図１５に示すように内視鏡用モジュールのまた他の構成である切開用モジュール９は、硬質な樹脂部材で略パイプ形状に形成されたモジュール本体９１及びこのモジュール本体９１の基端部に固定されて着脱手段となる略パイプ形状の第１磁石９２と、例えば切開部９３ａを備えた処置手段である切開具９３とで構成されている。
【００５３】
前記モジュール本体９１には先端側に開口部９１ａ有して患部を配置することが可能な処置用空洞部９１ｂが形成されている。前記切開具９３は、略輪形状の切開部９３ａを形成するスネア９４と、このスネア９４が挿通されモジュール本体９１に対して進退自在に配置され、前記伝達ワイヤ４の進退動作が伝達される切開具操作用チューブ９５と、この切開具操作用チューブ９５の手元側に設けられる圧入部材９６とで構成されている。また、前記内視鏡２の先端部２１には着脱手段となる第２磁石９７がこの先端部２１の外周上を回転可能に設けられている。また、前記ワイヤ用チャンネル２４内には操作チューブ９８が進退自在に挿通され、この操作チューブ９８内を伝達ワイヤ４が挿通している。
【００５４】
図１６に示すように内視鏡１の操作部５には、前記伝達ワイヤ４の端部が接続された第１の操作力用の第１操作ハンドル９９ａと前記操作チューブ９８の手元側端部が接続された第２の操作力用の第２操作ハンドル９９ｂとが設けられており、これら第１ハンドル９９ａ及び第２ハンドル９９ｂをそれぞれ進退動作させることによって、前記伝達ワイヤ４及び操作チューブ９８をそれぞれ進退させることができるようになっている。なお、その他、内視鏡に固定着脱用孔を形成していないこと以外は上述した実施形態と同様であり、同部材には同符号を付して説明を省略する。
【００５５】
上述のように構成した切開用モジュール９と内視鏡２とを備える内視鏡システム１の作用を説明する。
まず、内視鏡１を体腔内に挿入する前に、内視鏡１の先端に切開用モジュール９を装着する。このとき、内視鏡１の第１連結部材４１の雌ネジ４２と、切開具９３の第２連結部材３７の雄ネジ３８とを螺合固定して伝達ワイヤ４とスネア９４とを接続する。
【００５６】
続いて、内視鏡１のワイヤ用チャンネル２４内を挿通している操作チューブ９８の先端部を前記切開具９３の圧入部材９６の手元側から圧入して、操作チューブ９８と切開具操作用チューブ９５とを接続した後、切開用モジュール９の第１磁石９２の貫通穴内に、内視鏡１の先端部２１に配置されている第２磁石９７を係入して、各々の磁石９２，９７の磁力によって、図１７に示すように内視鏡１と切開用モジュール９とを一体的に固定する。
【００５７】
続いて、前述の第１実施形態と同様に体腔内に内視鏡１を配置した後、図１８に示すように吸引力によって患部１０ｄを処置用空洞部９１ｂ内に引き込む。このとき、スネア９４をモジュール本体９１の開口部９１ａに沿わせてリング状の切開部９３ａを形成しておくことによって、吸引された患部１０ｄが切開部９３ａに巻かれた状態になる。
【００５８】
次に、操作部５の第２ハンドル９９ｂを前進させる。すると、切開具操作用チューブ９５が前方に押し出されることによって、スネア９４は相対的に切開具操作用チューブ９５に引き込まれ、患部１０ｄの根元をスネア９４が１次緊縛される。
【００５９】
次いで、第１ハンドル９９ａを手元側に後退させる。このことによって、前記スネア９４が切開具操作用チューブ９５内に大きく引き込まれて２次緊縛されると共に、この状態でスネア９４に高周波を付与することによって患部１０ｄの切除が完了する。
【００６０】
処置が終了して内視鏡を体腔内から抜去した後、切開用モジュール９を取り外す場合には、内視鏡１の先端部２１に設けられている第２磁石９７を回転させる。このことにより、内視鏡用モジュール側の第１磁石９２と内視鏡１側の第２磁石９７とが各々の磁石により反発して、切開用モジュール９と内視鏡１とが分離される。
【００６１】
このように、切開用モジュールを構成するスネアと、切開具操作用チューブをそれぞれ独立して操作することができる。このことにより、切開などの複雑な操作を行うことが可能になる。
【００６２】
また、切開用モジュールと内視鏡とを磁力によって脱着にしているため、脱着を繰り返し行っても内視鏡やモジュール側に負荷がかかって破損することを防止することができる。
【００６３】
なお、本発明は、以上述べた実施形態のみに限定されるものではなく、発明の要旨を逸脱しない範囲で種々変形実施可能である。
【００６４】
［付記］
以上詳述したような本発明の上記実施形態によれば、以下の如き構成を得ることができる。
【００６５】
（１）内視鏡挿入部の先端部に、少なくとも１つ以上の処置手段を有する内視鏡用モジュールを、着脱手段を介して取付け可能である内視鏡システム。
【００６６】
（２）前記内視鏡鏡は、前記内視鏡用モジュールの処置手段を遠隔操作する操作部を有する付記１記載の内視鏡システム。
【００６７】
（３）前記操作部からの操作力を、前記処置手段へ伝達する操作力伝達手段を有する付記２記載の内視鏡システム。連結部材
（４）前記内視鏡用モジュールは、前記操作部からの第１の操作力を伝達する第１操作力伝達手段と、前記操作部からの第２の操作力を伝達する第２操作力伝達手段とを有する付記２記載の内視鏡システム。
【００６８】
【発明の効果】
以上説明したように本発明によれば、処置具の破損を防止し、内視鏡下での操作が容易で、小さなスペースで保管が可能な内視鏡システムを提供することができる。
【図面の簡単な説明】
【図１】図１ないし図８は本発明の第１実施例に係り、図１は
内視鏡システムを構成する内視鏡の先端部及びこの内視鏡に取り付けられる内視鏡用モジュールの１例である結紮用モジュールの構成を説明する断面図
【図２】内視鏡の操作部の構成を示す説明図
【図３】他の内視鏡用モジュールの例である把持用モジュールと内視鏡の先端部の構成を示す説明図
【図４】内視鏡の先端部に結紮用モジュールを取り付けた状態を示す説明図
【図５】結紮用モジュールを取り付けた内視鏡の作用を説明する図
【図６】引き続き患部に弾性リングを装着するときの使用状態を説明する図
【図７】内視鏡の先端部に把持用モジュールを取り付けた状態を示す説明図
【図８】把持用モジュールを取り付けた内視鏡の作用を示す説明図
【図９】図９ないし図１１は本発明の第２実施形態に係り、図９は
内視鏡用モジュールの別の構成である生検用モジュールと内視鏡の先端の構成を示す説明図
【図１０】内視鏡の先端部に生検用モジュールを取り付けた状態を示す説明図
【図１１】生検用ジュールを取り付けた内視鏡の作用を示す説明図
【図１２】図１２ないし図１４は本発明の第３実施形態に係り、図１２は
内視鏡用モジュールのまた他の構成である拡張用モジュールと内視鏡の先端の構成を示す説明図
【図１３】内視鏡の先端部に拡張用モジュールを取り付けた状態を示す説明図
【図１４】拡張用ジュールを取り付けた内視鏡の作用を示す説明図
【図１５】図１５ないし図１９は本発明の第４実施形態に係り、図１５は
内視鏡用モジュールのまた別の構成である切開用モジュールと内視鏡の先端の構成を示す説明図
【図１６】内視鏡の操作部を示す説明図
【図１７】内視鏡の先端部に切開用モジュールを取り付けた状態を示す説明図
【図１８】体腔内の患部に切開部を配置している状態を示す説明図
【図１９】切開部で患部を切開する様子を示す説明図
【符号の説明】
１…内視鏡システム
２…内視鏡
３…結紮用モジュール
２２…先端突出部
２３ａ…係止用孔部
３１ａ…突出部配置用孔
３５…リング操作用ワイヤ
３６ａ…係止爪部
３７…第２連結部材
４１…第１連結部材
【図１】
0004009350.tif 000002
【図２】
0004009350.tif 000003
【図３】
0004009350.tif 000004
【図４】
0004009350.tif 000005
【図５】
0004009350.tif 000006
【図６】
0004009350.tif 000007
【図７】
0004009350.tif 000008
【図８】
0004009350.tif 000009
【図９】
0004009350.tif 000010
【図１０】
0004009350.tif 000011
【図１１】
0004009350.tif 000012
【図１２】
0004009350.tif 000013
【図１３】
0004009350.tif 000014
【図１４】
0004009350.tif 000015
【図１５】
0004009350.tif 000016
【図１６】
0004009350.tif 000017
【図１７】
0004009350.tif 000018
【図１８】
0004009350.tif 000019
【図１９】
0004009350.tif 000020